(57)【特許請求の範囲】
【請求項１】
矩形枠状の上枠、底板、及び、起立時に相対向する２枚のあおり板を少なくとも具備すると共に、各あおり板の上端部を上枠に対し回動可能に取り付け、コンテナの折り畳み時には、両あおり板が寝かされて上枠の内側空間に収納されると共に、前記両あおり板における回動支点から離れた側の先端部が互いに重なりかつ、その上側の前記あおり板が、前記回動支点より前記先端部が上方に位置した傾斜収納姿勢になる折り畳みコンテナにおいて、
前記あおり板には、該あおり板の縦横の中央に配置されかつ該あおり板の起立時に鉛直線と平行になる平板状の本体中央部が備えられ、その本体中央部の外面に対しては凹状にへこみ前記本体中央部の内面に対しては凸状に膨出する凹状持ち手部が一体成形され、この凹状持ち手部は、その奧底に相当する奧壁、該あおり板の起立時に略水平な手指の掛け代を提供する上側壁、前記上側壁に向き合った下側壁、前記奧壁の左右に位置する左側壁及び右側壁とにより区画され、
前記凹状持ち手部の上側壁の前方には、前記本体中央部の外面よりも更に外に突出した略水平な前方壁部が連続形成されており、その一体化した前方壁部及び上側壁により手指の掛け代が構築され、
前記凹状持ち手部の前記下側壁が前記上側壁と平行且つその下側壁と前記奧壁とが直角に結合していたならば、前記下側壁と前記奧壁との結合部が、前記傾斜収納姿勢の前記あおり板における前記先端部の最上位点より上方に位置するところを、前記凹状持ち手部の前記奥壁及び前記下側壁を、該あおり板の起立時に外下がりになるように傾斜させて、前記下側壁と前記奧壁との結合部を、前記傾斜収納姿勢の前記あおり板における前記先端部の最上位点より下方に位置させたことを特徴とする折り畳みコンテナ。
【請求項２】
前記凹状持ち手部を構成する上側壁と奧壁との結合部は、Ｒ形状となるように湾曲形成されていることを特徴とする請求項１に記載の折り畳みコンテナ。
【請求項３】
前記あおり板の上端寄り位置には、横方向に延びかつ前記本体中央部の内面に対しては凹状にへこみ前記本体中央部の外面に対しては凸状に膨出した帯状膨出部が形成され、
前記帯状膨出部の上面壁を、前記凹状持ち手部の前記下側壁の下端部に連絡して前記前方壁部に対向配置し、
前記左側壁及び右側壁を、前記本体中央部の外面から突出させて、前記前方壁部と前記帯状膨出部の上面壁との間に差し渡したことを特徴とする請求項１又は２に記載の折り畳みコンテナ。
【発明の詳細な説明】
【技術分野】
【０００１】
本発明は、折り畳み可能な物品収納容器（折り畳みコンテナ）に関し、特に折り畳みコンテナを構成する側板に設けた、手指を掛けるための持ち手部（又は把持部）及びその周辺構造の改良に関するものである。
【背景技術】
【０００２】
一般に折り畳みコンテナは、上枠、底板、及び、上枠と底板との間にあって折り畳み可能に構成された４つの側板（例えば、対向関係にある一対の折り板及び対向関係にある一対のあおり板）を備えている。そして、例えば、特許文献１の折りたたみコンテナーには、あおり板の上枠（上フレーム）寄り端部における幅方向のほぼ中央部に握り用の凹部が形成されている。この握り用凹部は、あおり板の外面（表面）に対して凹となる一方で内面（裏面）に対しては凸となるようにあおり板本体に一体成形されている。また、握り用凹部があおり板本体の内面（裏面）から突出する量は、コンテナの折り畳み時（即ちあおり板の横寝かせ時）に握り用凹部（裏面では凸部）が、上枠に装着された蓋板の閉じ動作を阻害せず且つ上枠の内側に確保された収納空間の高さ範囲内に収まるように、抑制的に設定されている。
【０００３】
【特許文献１】実用新案登録第３００８７７２公報（全文明細書第００２７段落並びに図２，３，５及び９に示された握り用の凹部１５）
【発明の開示】
【発明が解決しようとする課題】
【０００４】
しかしながら、上記特許文献１のコンテナでは、側板本体の内面（裏面）からの突出量が抑制されているとは言え、上記握り用凹部は少なからずコンテナの内側へ突出しているため、コンテナに収納していた物品を外に引き上げるときに、握り用凹部を構成する壁部の角（例えば縦壁と横壁との直角結合部）に当該物品が引っ掛かり、コンテナ内からの物品取り出しに支障を来すことがある。
【０００５】
本発明はかかる事情に鑑みてなされたものであって、折り畳みコンテナのあおり板本体に凹設された持ち手部にあって、物品の出し入れに支障を生じない構造を構築することを目的とする。
【課題を解決するための手段】
【０００６】
上記目的を達成するため、請求項１の発明は、矩形枠状の上枠、底板、及び、起立時に相対向する２枚のあおり板を少なくとも具備すると共に、各あおり板の上端部を上枠に対し回動可能に取り付け、コンテナの折り畳み時には、両あおり板が寝かされて上枠の内側空間に収納されると共に、前記両あおり板における回動支点から離れた側の先端部が互いに重なりかつ、その上側の前記あおり板が、前記回動支点より前記先端部が上方に位置した傾斜収納姿勢になる折り畳みコンテナにおいて、前記あおり板には、該あおり板の縦横の中央に配置されかつ該あおり板の起立時に鉛直線と平行になる平板状の本体中央部が備えられ、その本体中央部の外面に対しては凹状にへこみ前記本体中央部の内面に対しては凸状に膨出する凹状持ち手部が一体成形され、この凹状持ち手部は、その奧底に相当する奧壁、該あおり板の起立時に略水平な手指の掛け代を提供する上側壁、前記上側壁に向き合った下側壁、前記奧壁の左右に位置する左側壁及び右側壁とにより区画され、前記凹状持ち手部の上側壁の前方には、前記本体中央部の外面よりも更に外に突出した略水平な前方壁部が連続形成されており、その一体化した前方壁部及び上側壁により手指の掛け代が構築され、前記凹状持ち手部の前記下側壁が前記上側壁と平行且つその下側壁と前記奧壁とが直角に結合していたならば、前記下側壁と前記奧壁との結合部が、前記傾斜収納姿勢の前記あおり板における前記先端部の最上位点より上方に位置するところを、前記凹状持ち手部の前記奥壁及び前記下側壁を、該あおり板の起立時に外下がりになるように傾斜させて、前記下側壁と前記奧壁との結合部を、前記傾斜収納姿勢の前記あおり板における前記先端部の最上位点より下方に位置させたところに特徴を有する。
【０００７】
請求項２の発明は、請求項１に記載の折り畳みコンテナにおいて、前記凹状持ち手部を構成する上側壁と奧壁との結合部は、Ｒ形状となるように湾曲形成されていることを特徴とする。
【０００８】
請求項３の発明は、請求項１又は２に記載の折り畳みコンテナにおいて、前記あおり板の上端寄り位置には、横方向に延びかつ前記本体中央部の内面に対しては凹状にへこみ前記本体中央部の外面に対しては凸状に膨出した帯状膨出部が形成され、前記帯状膨出部の上面壁を、前記凹状持ち手部の前記下側壁の下端部に連絡して前記前方壁部に対向配置し、前記左側壁及び右側壁を、前記本体中央部の外面から突出させて、前記前方壁部と前記帯状膨出部の上面壁との間に差し渡したところに特徴を有する。
【発明の効果】
【０００９】
請求項１の構成によれば、あおり板の起立時（即ちコンテナの組立時）、凹状持ち手部の上側壁はその内面において略水平な手指の掛け代を提供する一方、凹状持ち手部の奥壁及び下側壁は、あおり板の起立時に外下がりの傾斜状に区画する。それ故、コンテナに収容していた物品を中から外に引き上げる際に当該物品が凹状持ち手部裏側の壁部に接触したとしても、奥壁及び下側壁の外下がり傾斜（つまり内上がり傾斜）によって物品はその引き上げが円滑化するようにガイドされ、物品が凹状持ち手部の裏側の壁部に引っ掛かる事態が回避される。また、凹状持ち手部の上側壁とその前方の略水平な前方壁部とが一体となって手指の掛け代が構築されることで、当該掛け代が十分な奥行き又は幅を持つ結果となり、手指が掛け易くなる。また、十分な奥行き又は幅を有する手指の掛け代を確保できるため、凹状持ち手部のあおり板内側への膨出量と、前方壁部のあおり板外側への突出量とをそれぞれ必要最小限度にとどめることができる。さらに、本発明では、コンテナを折り畳んだときに、両あおり板における回動支点から離れた側の先端部が互いに重なり、その上側のあおり板が、回動支点より先端部が上方に位置した傾斜姿勢になる。そして、凹状持ち手部の下側壁が上側壁と平行且つその下側壁と奧壁とが直角に結合していたならば、下側壁と奧壁との結合部が、傾斜収納姿勢のあおり板における先端部の最上位点より上方に位置するところを、本発明では、凹状持ち手部の奥壁及び下側壁を、あおり板の起立時に外下がりになるように傾斜させて、下側壁と奧壁との結合部を、傾斜収納姿勢のあおり板における先端部の最上位点より下方に位置させた。これにより、あおり板を収納するために必要な内側空間を提供する上枠の高さを極力低くすることが可能になり、ひいては、折り畳み時におけるコンテナの全高を極力低くすることが可能になる。
【００１０】
請求項２によれば、凹状持ち手部を構成する上側壁と奧壁との結合部をＲ形状に湾曲形成することで、コンテナの外（上）から中（下）に物品を降ろし入れる際に、物品が当該結合部に対して引っ掛かり難くなる。従って、凹状持ち手部の裏側がコンテナ内に膨出していても、請求項１の構成との相乗効果により、コンテナに対する物品の出し入れがし易くなる。
【００１１】
請求項３の構成によれば、１対の側壁によってあおり板の強度アップが図られる。
【発明を実施するための最良の形態】
【００１２】
以下、本発明を折り畳みコンテナに適用した一実施形態を説明する。図１は、折り畳みコンテナを組み立てた状態での概略を示す。図１に示すように、コンテナは、平面矩形状且つ枠状の上枠１、その上枠１に対応する平面矩形状をなす底板２、上枠１と底板２との間で対向関係にある一対のあおり板（短側板）３、同じく対向関係にある一対の折り板（長側板）５、及び、上枠１に対し開閉可能に装着された一対の蓋９を備えている。これらコンテナ構成部材（１，２，３，５及び９）は合成樹脂等のプラスチックで作られている。なお、あおり板３の各々は、取付軸３ａによって上枠１に対し回動可能に取り付けられている。
【００１３】
（折り板について）
折り板５の各々は、上下二つの板（長側上板６及び長側下板７）を連結部８にて内側に折れ曲がり得るように連結して構成されている。長側上板６は取付軸６ａによって上枠１に対し回動可能に取り付けられ、長側下板７は取付軸７ａによって底板２に対し回動可能に取り付けられている。それ故、長側上板６及び長側下板７が一つの垂立面状態となるように各折り板５を起立させた状態で各あおり板３を垂直起立させれば、図１のようにコンテナが組み立てられる。逆に、各あおり板３を上枠１の内側に傾倒させた後、各折り板５を連結部８にて内側に折り曲げれば、コンテナが折り畳まれる。なお、折り畳み時には、上枠１の側壁下端が底板２の側壁上端に接触し、その際に上枠１と底板２との間には内部空間（即ち側板の収納空間）が確保される（図５参照）。そして、その内部空間には、折り曲げ状態の二つの折り板５、及び、その折り板５上に横寝かせ状態とされた二枚のあおり板３が収納される。
【００１４】
図２及び図３は折り板５を構成する長側上板６及び長側下板７の詳細を示す。長側上板６及び長側下板７はいずれも、中心分割線Ｘを挟んで左右対称の形状をなす。
【００１５】
図２（Ａ）に示すように、長側上板６は、比較的板薄で且つ横長な矩形状の一枚板として構成されている。長側上板６の上端部には、当該上板６を上枠１に対し回動可能に取り付けるための軸支構造６１が設けられ、長側上板６の下端部には、前記連結部８を構成するための連結構造６２が設けられている。
【００１６】
図２（Ａ）及び図３（Ａ）に示すように、長側上板６の本体外面６３（コンテナ組立時に表側となる面）には、長側上板６の上端縁から距離Ｌ（例えば１０〜１５ｍｍ）だけ下がった位置において、横方向（水平方向）に延びる持ち手リブ６４が突設されている。コンテナの組立時つまり折り板５の起立時、持ち手リブ６４は持ち手部又は把持部として機能し、その下面（腹面）に水平な手指の掛け代を提供する。持ち手リブ６４の横方向長さは例えば７０〜１００ｍｍ程度であり、持ち手リブ６４の上板本体外面６３からの突出量（又は幅）ｈは例えば５〜１５ｍｍ程度である。図４に示すように、持ち手リブ６４の突出量ｈは、上枠１及び底板２の平面寸法によって規定される組立時コンテナの平面視外形寸法を超えないように設定されている。このため、持ち手リブ６４の先端（突出端）が上枠１の側壁１１よりも外に突出することがなく、持ち手リブ６４が邪魔な突出物となることはない。
【００１７】
図２（Ａ）及び図３（Ａ）に示すように、長側上板６の外面６３には、持ち手リブ６４の直上位置であって折り板５の折り畳み時に後記長側下板７の水平リブ７４と符合する位置において、複数の縦リブ６５が形成されている。これら縦方向（垂直方向）に延びる縦リブ６５の各々は、横方向に延びる持ち手リブ６４の上面（背面）につながって持ち手リブ６４と直角連結関係にあり、持ち手リブ６４の強度及び剛性をその上面側で補強している。
【００１８】
図２（Ｂ）に示すように、長側下板７は、比較的板薄で且つ前記長側上板６と符合する横長な矩形状の一枚板として構成されている。長側下板７の上端部には長側上板の連結構造６２と共に前記連結部８を構成するための連結構造７１が設けられ、長側下板７の下端部には、当該下板７を底板２に対し回動可能に取り付けるための軸支構造７２が設けられている。
【００１９】
図２（Ｂ）並びに図３（Ｂ）及び（Ｃ）に示すように、長側下板７の本体外面７３には、その下端部近傍において、横方向（水平方向）に延びる受け凸部としての水平リブ７４が突設されている。この水平リブ７４は、長側下板７２の横長方向のほぼ全体にわたって延びているが、水平リブ７４の先端部には所々において略垂直方向に延びる突片状のカバー部７４ａが設けられている。
【００２０】
コンテナの折り畳み時には、図５に示すように、長側上板６及び長側下板７がほぼ水平になると共に長側上板の本体外面６３と長側下板の本体外面７３とが互いに向き合った状態となるように折り板５が折り畳まれる。このとき、底板２の上に寝かされた長側下板７の水平リブ７４の先端（図５では上端）に対し、連結部８にて１８０°折り返された長側上板６の縦リブ６５の先端（図５では下端）が当接する。折り畳まれた折り板５の長側上板６の上にはあおり板３が横寝かせ状態で載せられることから、あおり板３及び長側上板６の総荷重が、相互当接状態にある縦リブ６５及び水平リブ７４を介して長側下板７及び底板２に伝達される。即ち、折り畳み時におけるコンテナ内収納物（あおり板３等）に起因する垂直荷重は、縦リブ６５及び水平リブ７４によって確実に伝達及び支持される。
【００２１】
なお、持ち手リブ６４の突出量ｈは、図５のように折り板５が折り畳まれたときに、持ち手リブ６４が長側下板７に干渉しないように抑制されているので、長側上板６への持ち手リブ６４の付与が、折り板５の折り畳み動作を阻害することはない。
【００２２】
このように本実施形態によれば、折り板５を構成する各長側板６及び７を比較的板薄に構成したにもかかわらず、折り板５の起立時に持ち手部又は把持部として機能する持ち手リブ６４を長側上板の本体外面６３に突設することで、その持ち手リブ６４に手指をかけてコンテナを持ち上げて運ぶことができる。また、折り畳み状態にある折り板５の上にあおり板３を横寝かせしたときの垂直荷重を縦リブ６５及び水平リブ７４間で確実に伝達及び支持することができ、かかる垂直荷重に起因する折り板５の変形を未然防止することができる。
【００２３】
（折り板の変更例）
図６に示すように、折り板５の折り畳み時であって長側上板６の縦リブ６５と長側下板７の水平リブ７４とが当接するときに、それと協調して持ち手リブ６４の先端（図６では下端）が長側下板の本体外面７３に当接するように、当該持ち手リブ６４の突出量ｈを設定してもよい。この変更例によれば、上板の縦リブ６５及び下板の水平リブ７４間、並びに、上板の持ち手リブ６４及び下板外面７３間での協調的同時当接により、折り畳み状態にある折り板５の上に他物体（この場合、あおり板３）が載せられたときの垂直荷重を伝達及び支持する性能が更に高められる。また、図５又は図６に示す構成において、折り板５の折り畳み時に長側上板の縦リブ６５が長側下板の水平リブ７４に当接するだけでなく、長側上板の持ち手リブ６４が長側下板の水平リブ７４とも接触し得るように、持ち手リブ６４及び／又は水平リブ７４を位置設定してもよい。この場合には、持ち手リブ６４と水平リブ７４との相互接触により、例えば長側上板６が図５又は図６の水平方向にガタつくことを防止することができる。
【００２４】
（あおり板について）
図７及び図８は、あおり板３の詳細を示す。あおり板３の形状は中心分割線Ｙを挟んで左右対称である。図７及び図８に示すように、あおり板３は、比較的板薄で且つ正面から見て矩形状の一枚板として構成されている。特に図７（Ａ）及び（Ｂ）に示すように、あおり板本体３０の板厚は概して均一であり、上下左右の四つの端辺部から離れた本体中央部３０ａは、板厚が均一でしかも平坦な平板状となっている。あおり板３の上端部には、当該あおり板３を上枠１に対し回動可能に取り付けるための軸支構造３１が設けられている。他方、あおり板３の下端部には、コンテナの組立時に底板２の一部と係合してあおり板３の直立姿勢を確実にするための係合部３２が設けられている。
【００２５】
あおり板３の上端部近傍及び下端部近傍には、それぞれ横方向（水平方向）に延びる帯状膨出部３３が突出形成され、あおり板３の左右端部近傍には、縦方向（垂直方向）に延びる合計４帯の帯状膨出部３４Ａ，３４Ｂが突出形成されている。上下の横方向帯状膨出部３３及び左右の縦方向帯状膨出部３４Ａは本体中央部３０ａを四方から取り囲む。尚、図７（Ｂ）並びに図８（Ａ）及び（Ｂ）に示すように、上側の横方向帯状膨出部３３は、平板状の本体中央部３０ａと平行で且つその本体中央部３０ａよりも外側に張り出した位置にある膨出部頂面３３１と、その膨出部頂面３３１の上及び下にあって当該膨出部頂面３３１をあおり板本体３０に連結する二つの連結面３３２，３３３の合計三面で構成されている。その結果、上側の横方向帯状膨出部３３は、あおり板本体３０の表面に対しては外に張り出した凸部又は突条となる一方で、あおり板本体３０の裏面に対しては窪んだ凹部又は横溝となっている。その他の帯状膨出部（３３，３４Ａ及び３４Ｂ）についても、その基本構造は上側の横方向帯状膨出部３３と同様である。
【００２６】
図１、図７及び図８に示すように、あおり板本体３０の幅方向中央位置であって本体上端部と前記上側の横方向帯状膨出部３３との間には、コンテナの運搬時等に手指をかける取っ手としての凹状持ち手部４０が設けられている。この凹状持ち手部４０は、その奧底に相当する奧壁４１と、その上下に位置する上側壁４２及び下側壁４３と、奧壁４１の左右に位置する左側壁４４及び右側壁４５とを有し、これら５つの壁４１〜４５によって区画されている。そして、凹状持ち手部４０は、あおり板本体３０の外面（表面）に対しては凹状にへこむ一方、本体内面（裏面）に対しては凸状に膨出するような凹凸形状であって、且つ、あおり板本体３０の内と外とを貫通させない凹凸形状として、あおり板３に対し一体成形されている。
【００２７】
図８（Ａ）及び（Ｂ）に示すように、あおり板３の垂直起立時において、凹状持ち手部の上側壁４２はほぼ水平であるのに対し、奧壁４１は鉛直線に対し傾斜角θ１（θ１は微小な鋭角）だけ外下がり（即ち内上がり）に傾斜するように設けられている。ここで鉛直線とは、地面又は設置面に対して垂直となる仮想線を意味し、垂直起立時のあおり板本体３０は鉛直線と平行になる。また、上側壁４２と向き合う下側壁４３は、上側壁４２に対し非平行であるばかりでなく、鉛直線又はあおり板本体３０に対し傾斜角θ２（θ２はθ１よりも大きな鋭角）だけ外下がり（即ち内上がり）に傾斜する傾斜壁として設けられている。かかる奧壁４１及び下側壁４３の傾斜角設定により、奧壁４１と下側壁４３とがなす角度（結合角度）は鈍角となっている。
【００２８】
また、凹状持ち手部４０において、上側壁４２と奧壁４１との結合部は、角張らないようＲ形状に湾曲形成されている。更に上側壁４２の前方には、あおり板本体３０の外面よりも外（前方）に突出した略水平な前方壁部４７が連続形成されている。この前方壁部４７の前方突出量は、前記横方向帯状膨出部３３のあおり板本体３０からの突出量に相当する（図８（Ｂ）参照）。上側壁４２及び前方壁部４７は、ほぼ水平な一体化した壁部を構築し、その壁部（４２，４７）の下面は略水平な手指の掛け代を提供する。なお、縦方向に延びる前記左側壁４４及び右側壁４５は、一体化した壁部（４２，４７）の左右にそれぞれ位置して当該一体壁の強度を補強する補強リブとしての役割をも担っている。
【００２９】
本実施形態のあおり板３によれば、あおり板３の垂直起立時（即ちコンテナの組立時）に、凹状持ち手部４０の上側壁４２及びそれに連続形成された前方壁部４７とが一体となって手指の掛け代を構築するので、そこに手指を掛けてコンテナを持ち運ぶことが可能となる。また、あおり板本体３０の内面側に突出した上側壁４２と、あおり板本体３０の外面側に突出した前方壁部４７との一体的結合により十分な奥行き又は幅を有する手指の掛け代を確保できるため、手指が非常に掛け易いばかりか、凹状持ち手部４０のあおり板本体内面側への膨出量及び前方壁部４７のあおり板本体外面側への突出量をそれぞれ必要最小限度にとどめることができる。
【００３０】
コンテナの組立時、凹状持ち手部４０の下側壁４３は、凹状持ち手部４０の下端部を上側壁４２に対し非平行な外下がりの傾斜状に区画する。故に、コンテナに収納していた物品を中から外に引き上げる際に当該物品が凹状持ち手部４０の裏側壁部に接触したとしても、下側壁４３の外下がり傾斜（つまり内上がり傾斜）によって当該物品は引き上げ動作が円滑化するようにガイドされ、凹状持ち手部４０の裏側壁部に引っ掛かることがない。また、凹状持ち手部４０の裏側がコンテナ内に膨出していたとしても、凹状持ち手部を構成する上側壁４２と奧壁４１との結合部をＲ形状に湾曲形成することで、コンテナの外（上）から中（下）に物品を降ろし入れる際に、当該Ｒ形状部に対して引っ掛かり難くなる。このように本実施形態によれば、起立状態にあるあおり板３の内側突部に引っ掛かることなく、物品を円滑に出し入れすることができる。
【００３１】
本実施形態の折り畳みコンテナでは、あおり板３の全高と折り板５の横方向長さとの寸法関係に起因して、コンテナの折り畳み時には上枠１の内側空間において、図９に示すように、両あおり板３をそれぞれの下端部同士を重ね合わせながら傾斜状態で横寝かせする必要がある。特に図９に途中省略して実線で示す左側のあおり板３にあっては、その下端部を右側のあおり板３（仮想線で示す）の上に載せる格好で横寝かせするため、下端部が上端部よりも相対的に上となるような傾斜状態で横寝かせすることになる。もし仮に、あおり板３の凹状持ち手部４０を構成する下側壁４３が上側壁４２に対し平行に設けられ、且つ下側壁４３と奧壁４１とがほぼ直角に結合していたならば、下側壁４３と奧壁４１との仮定の結合部（図９に破線で示す）は、上方に大きく突出することになったであろう。この点、本実施形態のあおり板３では、奧壁４１を傾斜角θ１の外下がりな傾斜壁とし且つ下側壁４３を上側壁４２と非平行な傾斜角θ２の外下がりな傾斜壁とすることで、下側壁４３と奧壁４１との結合角度を鈍角化し、下側壁４３と奧壁４１との結合部が上方に突出する量又は高さを抑制している。従って、本実施形態によれば、横寝かせしたあおり板３を収納するために必要な内側空間を提供する上枠１の高さを、従来よりも低く設定することが可能となり、ひいては、折り畳み時におけるコンテナの全高を極力低くすることが可能となる。
【図面の簡単な説明】
【００３２】
【図１】組立状態での折り畳みコンテナの概略を示す斜視図
【図２】（Ａ）折り板を構成する長側上板の部分正面図、（Ｂ）折り板を構成する長側下板の部分正面図
【図３】（Ａ）図２のＡ−Ａ線拡大断面図、（Ｂ）図２のＢ１−Ｂ４組み合わせ線での拡大断面図、（Ｃ）図２のＣ−Ｃ線拡大断面図
【図４】組立状態での折り畳みコンテナの一部を拡大して示す図
【図５】折り畳み状態にあるコンテナ内部の概要を示す断面図および要部拡大断面図
【図６】長側上板における持ち手リブの変更例を示す要部拡大断面図
【図７】（Ａ）あおり板の正面図、（Ｂ）同図Ｐ−Ｐ線での断面図
【図８】（Ａ）図７のＱ−Ｑ線での拡大断面図、（Ｂ）図７のＲ−Ｒ線での拡大断面図
【図９】あおり板の折り畳み状態での概要を示した模式図
【符号の説明】
【００３３】
１…上枠、２…底板、３…あおり板、５…折り板、６…長側上板、７…長側下板、８…連結部、３０…あおり板本体、４０…凹状持ち手部、４１…奧壁、４２…上側壁、４３…下側壁、４７…前方壁部、６３…長側上板の本体外面、６４…持ち手リブ、６５…縦リブ、７３…長側下板の本体外面、７４…水平リブ (受け凸部)、ｈ…持ち手リブ６４の突出量又は幅、Ｌ…距離
【図１】
0004840825.tif 000002
【図２】
0004840825.tif 000003
【図３】
0004840825.tif 000004
【図４】
0004840825.tif 000005
【図５】
0004840825.tif 000006
【図６】
0004840825.tif 000007
【図７】
0004840825.tif 000008
【図８】
0004840825.tif 000009
【図９】
0004840825.tif 000010